(57)【要約】      （修正有）【課題】エレベータの利用者一人一人に対し、有益な情報を提供し、利用者の利便性を向上させる。【解決手段】エレベータの利用者に対して情報を提供する制御装置１において、エレベータ側で生成されるエレベータの動作情報を取得する動作情報取得部１４と、利用者の保有するＩＣカードから、該利用者の利用者情報を取得する利用者情報取得部１５と、取得した動作情報および利用者情報に応じた提供情報を生成する情報生成部１８と、生成した提供情報を利用者に対して提供する情報提供部１７を備える。【選択図】図１
2020052548.tif 000002
【特許請求の範囲】
【請求項１】
エレベータの利用者に対して情報を提供する情報提供装置において、
前記エレベータ側で生成される前記エレベータの動作情報を取得する動作情報取得部と、
前記利用者の保有する端末装置から、該利用者の利用者情報を取得する利用者情報取得部と、
取得した前記動作情報および前記利用者情報に応じた提供情報を生成する情報生成部と、
生成した前記提供情報を前記利用者に対して提供する情報提供部と、を備える情報提供装置。
【請求項２】
建物における前記エレベータの配置に関する配置情報を記憶する配置情報記憶部と、
前記配置情報に応じて、前記提供情報の生成に必要な基本情報を外部のデータベースから取得する基本情報取得部と、をさらに備え、
前記情報生成部は、前記動作情報および前記利用者情報に応じて、前記基本情報から前記提供情報を生成する、請求項１に記載の情報提供装置。
【請求項３】
前記提供情報の生成に必要な基本情報を記憶する基本情報記憶部をさらに備え、
前記基本情報は、建物における前記エレベータの配置に応じた情報であり、
前記情報生成部は、前記動作情報および前記利用者情報に応じて、前記基本情報から前記提供情報を生成する、請求項１に記載の情報提供装置。
【請求項４】
前記エレベータは、公共交通機関の発着所に設置されており、
前記動作情報は、前記エレベータが前記利用者を前記公共交通機関の乗降場所に近づけるように動作しているか遠ざけるように動作しているかを判別可能な情報であり、
前記基本情報は、前記公共交通機関の路線および料金に関する情報であり、
前記利用者情報は、前記利用者が前記端末装置を用いて支払可能な金額に関する残高情報、および、前記公共交通機関を利用した前記利用者の移動の始点となる前記発着所に関する始点情報である、請求項２または３に記載の情報提供装置。
【請求項５】
前記情報生成部は、
前記動作情報に基づき、前記エレベータが前記利用者を前記公共交通機関の乗降場所に近づけるように動作していると判定した場合、
前記基本情報および前記利用者情報に基づき、前記始点情報が示す前記発着所から、前記残高情報が示す金額により到達可能な範囲を示す提供情報を生成する、請求項４に記載の情報提供装置。
【請求項６】
前記エレベータは、前記乗降場所に設置されており、
前記基本情報は、前記乗降場所にて発着する前記公共交通機関の路線および料金に関する情報である、請求項５に記載の情報提供装置。
【請求項７】
前記情報生成部は、
前記利用者情報に基づき、前記始点情報が示す前記発着所と、前記エレベータが設置されている前記発着所と、が一致すると判定した場合、
前記基本情報および前記利用者情報に基づき、該発着所から、前記基本情報が示す路線の前記公共交通機関を利用して、前記残高情報が示す金額により到達可能な範囲を示す提供情報を生成する、請求項５または６に記載の情報提供装置。
【請求項８】
前記情報生成部は、
前記利用者情報に基づき、前記始点情報が示す前記発着所である第１発着所と、前記エレベータが設置されている前記発着所である第２発着所と、が一致しないと判定した場合、
前記基本情報および前記利用者情報に基づき、前記第１発着所から前記第２発着所まで前記利用者が乗車した第１路線の前記公共交通機関と、前記基本情報が示す第２路線の前記公共交通機関と、を利用して、前記残高情報が示す金額により到達可能な範囲を示す提供情報を生成する、請求項５または６に記載の情報提供装置。
【請求項９】
前記エレベータは、前記乗降場所に設置されており、
前記基本情報は、前記乗降場所にて発着する前記公共交通機関の路線および料金に関する情報であり、
前記情報生成部は、
前記動作情報に基づき、前記エレベータが前記利用者を前記公共交通機関の乗降場所から遠ざけるように動作していると判定した場合、
前記基本情報および前記利用者情報に基づき、前記始点情報が示す前記発着所から、前記エレベータが設置されている前記発着所までの料金を示す提供情報を生成する、請求項４に記載の情報提供装置。
【請求項１０】
前記情報提供部が提供した第１提供情報に起因して、前記利用者が、入力装置に対して行った入力に基づく入力情報を取得する入力情報取得部をさらに備え、
前記情報生成部は、前記入力情報に応じた第２提供情報を生成し、
前記情報提供部は、前記第２提供情報を前記利用者に対して提供する、請求項１から９のいずれか１項に記載の情報提供装置。
【発明の詳細な説明】
【技術分野】
【０００１】
本発明は、エレベータの動作情報と、エレベータの利用者の情報とに基づいて、利用者に情報を提供する情報提供装置に関する。
【背景技術】
【０００２】
特許文献１には、階層的に建設された複数のプラットフォームを有する駅に設置され、各プラットフォームへの乗客運送手段としてエレベータを用いる乗客運送システムが開示されている。
【先行技術文献】
【特許文献】
【０００３】
【特許文献１】特開２００１−２２６０４７号公報
【発明の概要】
【発明が解決しようとする課題】
【０００４】
特許文献１には、エレベータの利用者の利便性について、向上の余地がある。
【０００５】
例えば、駅に設置されたエレベータの利用者がプラットフォームからエレベータに乗り、改札が設置された階（改札階）に移動する例を考える。該利用者が、改札階に到着し、チャージ式のＩＣカードを用いて改札から出場しようとした場合、チャージしている金額（チャージ金額）の不足により、出場できないことがある。しかしながら、該利用者が、改札からの出場前にチャージ金額を確認できないことも多い。
【０００６】
このように、エレベータの利用者は、エレベータの利用後に必要な情報を事前に確認できないことで、不便さを感じることがある。
【０００７】
本発明は、上記の問題点に鑑みてなされたものであり、その目的は、エレベータの利用者一人一人に対し、有益な情報を提供し、利用者の利便性を向上させることにある。
【課題を解決するための手段】
【０００８】
上記の課題を解決するために、本発明の一態様に係る情報提供装置は、エレベータの利用者に対して情報を提供する情報提供装置において、前記エレベータ側で生成される前記エレベータの動作情報を取得する動作情報取得部と、前記利用者の保有する端末装置から、該利用者の利用者情報を取得する利用者情報取得部と、取得した前記動作情報および前記利用者情報に応じた提供情報を生成する情報生成部と、生成した前記提供情報を前記利用者に対して提供する情報提供部と、を備える構成である。
【０００９】
上記の構成によれば、エレベータの動作情報と利用者情報に応じた提供情報が、エレベータの利用者に提供されるので、エレベータの利用者一人一人に対し、有益な情報を提供することができ、結果として、エレベータの利用者の利便性を向上させることができる。
【００１０】
本発明の一態様に係る情報提供装置において、建物における前記エレベータの配置に関する配置情報を記憶する配置情報記憶部と、前記配置情報に応じて、前記提供情報の生成に必要な基本情報を外部のデータベースから取得する基本情報取得部と、をさらに備え、前記情報生成部は、前記動作情報および前記利用者情報に応じて、前記基本情報から前記提供情報を生成する構成としてもよい。
【００１１】
上記の構成によれば、外部のデータベースから取得した基本情報およびエレベータの配置に応じた提供情報がエレベータの利用者に提供されることとなるので、目的を持って該エレベータを利用する利用者にとって有益な情報を提供することができる。
【００１２】
本発明の一態様に係る情報提供装置において、前記提供情報の生成に必要な基本情報を記憶する基本情報記憶部をさらに備え、前記基本情報は、建物における前記エレベータの配置に応じた情報であり、前記情報生成部は、前記動作情報および前記利用者情報に応じて、前記基本情報から前記提供情報を生成する構成としてもよい。
【００１３】
上記の構成によれば、エレベータの配置に応じた提供情報がエレベータの利用者に提供されることとなるので、目的を持って該エレベータを利用する利用者にとって有益な情報を提供することができる。
【００１４】
本発明の一態様に係る情報提供装置において、前記エレベータは、公共交通機関の発着所に設置されており、前記動作情報は、前記エレベータが前記利用者を前記公共交通機関の乗降場所に近づけるように動作しているか遠ざけるように動作しているかを判別可能な情報であり、前記基本情報は、前記公共交通機関の路線および料金に関する情報であり、前記利用者情報は、前記利用者が前記端末装置を用いて支払可能な金額に関する残高情報、および、前記公共交通機関を利用した前記利用者の移動の始点となる前記発着所に関する始点情報である構成としてもよい。
【００１５】
上記の構成によれば、（１）利用者が公共交通機関に乗車しようとしているのか、または、下車したのか、（２）利用者が端末装置を用いて支払える金額、および、（３）利用者がどこから公共交通機関を利用したのか、に応じて、公共交通機関の路線および料金に基づく提供情報が利用者に提供される。これにより、エレベータの利用者は、公共交通機関の利用に関し、有益な情報を取得することができる。
【００１６】
本発明の一態様に係る情報提供装置において、前記情報生成部は、前記動作情報に基づき、前記エレベータが前記利用者を前記公共交通機関の乗降場所に近づけるように動作していると判定した場合、前記基本情報および前記利用者情報に基づき、前記始点情報が示す前記発着所から、前記残高情報が示す金額により到達可能な範囲を示す提供情報を生成する構成としてもよい。
【００１７】
上記の構成によれば、利用者は、提供情報を確認することで、端末装置を用いて支払可能な金額で、目的地まで行くことができるか否かを判別することができる。
【００１８】
本発明の一態様に係る情報提供装置において、前記エレベータは、前記乗降場所に設置されており、前記基本情報は、前記乗降場所にて発着する前記公共交通機関の路線および料金に関する情報である構成としてもよい。
【００１９】
上記の構成によれば、エレベータの利用者が利用する、または、利用した公共交通機関の路線および料金に関する情報から生成される提供情報が利用者に提供されるので、エレベータの利用者に対し、有益な情報を提供することができる。
【００２０】
本発明の一態様に係る情報提供装置において、前記情報生成部は、前記利用者情報に基づき、前記始点情報が示す前記発着所と、前記エレベータが設置されている前記発着所と、が一致すると判定した場合、前記基本情報および前記利用者情報に基づき、該発着所から、前記基本情報が示す路線の前記公共交通機関を利用して、前記残高情報が示す金額により到達可能な範囲を示す提供情報を生成する構成としてもよい。
【００２１】
上記の構成によれば、今いる発着所から１本の路線で目的地まで行く場合において、利用者は、提供情報を確認することで、端末装置を用いて支払可能な金額で、目的地まで行くことができるか否かを判別することができる。
【００２２】
本発明の一態様に係る情報提供装置において、前記情報生成部は、前記利用者情報に基づき、前記始点情報が示す前記発着所である第１発着所と、前記エレベータが設置されている前記発着所である第２発着所と、が一致しないと判定した場合、前記基本情報および前記利用者情報に基づき、前記第１発着所から前記第２発着所まで前記利用者が乗車した第１路線の前記公共交通機関と、前記基本情報が示す第２路線の前記公共交通機関と、を利用して、前記残高情報が示す金額により到達可能な範囲を示す提供情報を生成する構成としてもよい。
【００２３】
上記の構成によれば、公共交通機関の乗り換えを行った場合において、利用者は、提供情報を確認することで、端末装置を用いて支払可能な金額で、目的地まで行くことができるか否かを判別することができる。
【００２４】
本発明の一態様に係る情報提供装置において、前記エレベータは、前記乗降場所に設置されており、前記基本情報は、前記乗降場所にて発着する前記公共交通機関の路線および料金に関する情報であり、前記情報生成部は、前記動作情報に基づき、前記エレベータが前記利用者を前記公共交通機関の乗降場所から遠ざけるように動作していると判定した場合、前記基本情報および前記利用者情報に基づき、前記始点情報が示す前記発着所から、前記エレベータが設置されている前記発着所までの料金を示す提供情報を生成する構成としてもよい。
【００２５】
上記の構成によれば、利用者は、公共交通機関を利用したことに伴う料金の支払い前に、端末装置を用いて支払可能な金額で、該料金を支払うことができるか否かを確認することができる。
【００２６】
本発明の一態様に係る情報提供装置において、前記情報提供部が提供した第１提供情報に起因して、前記利用者が、入力装置に対して行った入力に基づく入力情報を取得する入力情報取得部をさらに備え、前記情報生成部は、前記入力情報に応じた第２提供情報を生成し、前記情報提供部は、前記第２提供情報を前記利用者に対して提供する構成としてもよい。
【００２７】
上記の構成によれば、第１提供情報に起因した入力に応じた第２提供情報を利用者に対して提供するので、利用者に対し、より有益な情報を提供することができる。
【発明の効果】
【００２８】
本発明によれば、エレベータの利用者一人一人に対し、有益な情報を提供し、利用者の利便性を向上させることができるという効果を奏する。
【図面の簡単な説明】
【００２９】
【図１】本発明の各実施形態に係る情報提供装置の要部構成の一例を示すブロック図である。
【図２】図１に示す情報提供装置を搭載した駅舎のプラットフォームに設置されているエレベータ情報システムの要部構成の一例を示す概略図である。
【図３】図２に示すエレベータを駅舎に設置した一例を示す概略図である。
【図４】図１に示す制御装置が実行する処理の流れの一例を示すフローチャートである。
【図５】図２に示すエレベータを駅舎に設置した一例を示す概略図である。
【図６】図２に示すエレベータを駅舎に設置した一例を示す概略図である。
【図７】図２に示すエレベータを駅舎に設置した一例を示す概略図である。
【図８】図１に示す情報制御装置が実行する処理の流れの一例を示すフローチャートである。
【図９】図１に示す情報提供部が表示する画面表示例を示す概略図である。
【図１０】図１に示す情報提供部が表示する画面表示例を示す概略図である。
【発明を実施するための形態】
【００３０】
以下、本発明の一実施形態について、詳細に説明する。図１は、本実施形態に係る制御装置１（情報提供装置）の要部構成の一例を示すブロック図である。図２は、本実施形態に係るエレベータ情報システム２の概要を示す図である。図３は、図２に示すエレベータ情報システム２の利用例を示す概略図である。本実施形態では、エレベータ情報システム２を、図３に示す駅３（建物、発着所）で用いる例を説明する。
【００３１】
（システム構成）
エレベータ情報システム２は、エレベータ２１Ａ、２１Ｂ、２１Ｃを含む。換言すれば、駅３には、エレベータ２１Ａ、２１Ｂ、２１Ｃが設置されている。エレベータ２１Ａ、２１Ｂ、２１Ｃはそれぞれ、路線Ａ、路線Ｂ、路線Ｃのプラットフォーム（ホーム）に設置されているエレベータである。なお、以降、エレベータ２１Ａ、２１Ｂ、２１Ｃを区別しない場合、「エレベータ２１」と総称する。
【００３２】
エレベータ２１は、表示器２１１、表示器コントローラ２１２、カードリーダー２１３、エレベータシステム２１４、および、図１に示す制御装置１を備えている。なお、図２では、各エレベータ２１に備えられたこれら装置を区別するために、部材番号の末尾に、各エレベータ２１と同じアルファベットを付している。一方、各装置を区別しない場合、上述したように、各装置の部材番号の末尾のアルファベットを省略する。
【００３３】
制御装置１は、エレベータ２１の利用者に対して情報を提供する。制御装置１は、エレベータ側（エレベータシステム２１４）で生成される、エレベータ２１の動作情報を取得する。また、制御装置１は、カードリーダー２１３を介して、利用者の保有する端末装置から、利用者の利用者情報を取得する。そして、制御装置１は、動作情報および利用者情報に応じた提供情報を生成し、表示器コントローラ２１２に出力する。表示器コントローラ２１２は、表示器２１１を制御して、提供情報に応じた表示を行わせる。これにより、制御装置１は、生成した提供情報を利用者に提供する。
【００３４】
なお、本実施形態に係る制御装置１は、さらに、鉄道会社が管理する、エレベータ情報システム２（制御装置１）の外部のデータベースである鉄道情報データベース２０から、提供情報の生成に必要な基本情報を取得し、該基本情報を提供情報の生成に用いる。なお、動作情報、利用者情報、基本情報、および提供情報の詳細については後述する。
【００３５】
（エレベータの概要）
図３では、一例として、エレベータ２１Ａが設置された路線Ａのプラットフォームを図示している。図示してはいないが、エレベータ２１Ｂが設置された路線Ｂのプラットフォーム、および、エレベータ２１Ｃが設置された路線Ｃのプラットフォームも同様の構成であってもよい。エレベータ２１Ａは、図示のように、改札階３００と、プラットフォーム階３１０（乗降場所）との間で、利用者を輸送する。換言すれば、利用者は、エレベータ２１Ａを用いて、改札階３００と、プラットフォーム階３１０とを行き来することができる。プラットフォーム階３１０は、駅３に到着した電車３１１（公共交通機関）が停止し、乗客を乗降させ、駅３から発車するための階である。改札階３００には、電車３１１に乗る、あるいは、電車３１１から降りた利用者が通る改札３０１が設置されている。
【００３６】
エレベータ２１Ａは、一例として、機械室３１と昇降路３６とを備える。なお、機械室３１の位置は、昇降路３６の上方に限定されない。また、エレベータ２１Ａは、機械室３１を備えない構成であってもよい。
【００３７】
エレベータ２１Ａのかご３５は、ロープ３７の一端部に連結されている。また、ロープ３７の他端部には釣合おもり３８が連結されている。ロープ３７を機械室３１に設置された巻上機３３が巻き上げることで、かご３５が昇降路３６内を昇降する。
【００３８】
また、機械室３１には、制御盤３２が設置されている。本実施形態では、制御盤３２が、図２に示すエレベータシステム２１４に相当する。なお、エレベータシステム２１４は、制御盤３２の他、１以上の装置を含むものであってもよい。
【００３９】
制御盤３２は、エレベータ２１Ａの稼働を制御する。具体的には、制御盤３２は、エレベータ２１に設けられた各種ボタン（例えば乗場ボタン）などから取得した制御信号に応じて、利用者が指定した階床へのかご３５の移動および該階床での停止、かご３５および乗場に設けられたドアの開閉、乗場に設けられた位置表示機の表示変更などを制御する。
【００４０】
例えば、かご３５が改札階３００にある場合において、プラットフォーム階３１０にいる利用者が、乗場ボタンを押下すると、制御盤３２は、かご３５を改札階３００からプラットフォーム階３１０へ下降させる。かご３５がプラットフォーム階３１０に到着すると、制御盤３２はかご３５を停止させ、かご３５に設けられたかごドア、および、プラットフォーム階３１０に設けられた乗場ドア３９を開く。利用者は、かご３５に乗り、かご３５内に設けられたボタン（行き先指定ボタン）を押下する。ここで、利用者は、改札階３００へ行くためのボタンを押下したものとする。制御盤３２は、該ボタンの押下に応じて、かご３５をプラットフォーム階３１０から改札階３００へ上昇させる。かご３５が改札階３００に到着すると、制御盤３２はかご３５を停止させ、かご３５に設けられたかごドア、および、改札階に設けられた乗場ドア３４を開く。
【００４１】
制御盤３２は、外部の装置と通信可能に構成されている。具体的には、制御盤３２は、エレベータ２１Ａの動作情報を、制御装置１へ送信する。
【００４２】
図示してはいないが、本実施形態では、制御装置１、表示器２１１、表示器コントローラ２１２、およびカードリーダー２１３は、かご３５に設置されている。少なくとも、表示器２１１およびカードリーダー２１３は、かご３５の内部に設置されている。これにより、かご３５に乗った利用者は、カードリーダー２１３を介して、利用者情報を制御装置１に送信することができる。また、該利用者は、表示器２１１に表示された提供情報を視認することができる。制御装置１、表示器２１１、表示器コントローラ２１２、およびカードリーダー２１３は、一体となっていてもよい。
【００４３】
（制御装置１の詳細）
再び図１を参照し、制御装置１の詳細を説明する。図示のように、制御装置１は、通信部１１と、制御部１２と、記憶部１３とを備える。
【００４４】
通信部１１は、制御装置１の外部の装置と通信し、情報の送受信を行う。制御部１２は、制御装置１を統括的に制御する。制御部１２は、動作情報取得部１４と、利用者情報取得部１５と、基本情報取得部１６と、情報提供部１７と、情報生成部１８とを含んでいる。記憶部１３（配置情報記憶部）は、制御装置１、特に制御部１２が使用する各種データを記憶している。一例として、記憶部１３は、駅３におけるエレベータの配置に関する配置情報を少なくとも記憶している。
【００４５】
動作情報取得部１４は、制御盤３２で生成されるエレベータ２１の動作情報を、通信部１１を介して取得し、情報生成部１８に出力する。利用者情報取得部１５は、利用者の保有する端末装置から、通信部１１を介して利用者情報を取得し、情報生成部１８に出力する。基本情報取得部１６は、記憶部１３から配置情報を読み出し、該配置情報に応じて、提供情報の生成に必要な基本情報を鉄道情報データベース２０から取得し、情報生成部１８に出力する。情報生成部１８は、取得した動作情報および利用者情報に応じて、取得した基本情報から提供情報を生成し、情報提供部１７に該提供情報を出力する。情報提供部１７は、情報生成部１８から入力された提供情報を、通信部１１を介して外部の装置に情報を出力する。本実施形態では、外部の装置は表示器コントローラ２１２である。
【００４６】
ここで、動作情報、利用者情報、基本情報、および配置情報の詳細について説明する。動作情報は、一例として、エレベータ２１が、利用者をプラットフォーム階３１０に近づけるように動作しているか、または、遠ざけるように動作しているかを判別可能な情報である。動作情報は、例えば、かご３５の行き先となる階、かご３５の移動方向などを含んでいる。
【００４７】
利用者情報は、一例として、利用者が端末装置を用いて支払可能な金額に関する残高情報、および、電車３１１による利用者の移動の始点となる駅に関する始点情報を含んでいる。端末装置は、例えば、金額をチャージ可能なＩＣカードである。カードリーダー２１３は、一例として、近距離無線通信により、利用者がカードリーダー２１３に近づけたＩＣカードから利用者情報を取得し、制御装置１へ出力する。なお、端末装置は、該ＩＣカードの機能を包含したスマートフォンであってもよい。始点情報は、利用者が電車３１１に乗るために、ＩＣカードを使用して改札を通った駅（入場駅）を示す情報である。
【００４８】
配置情報は、一例として、エレベータ２１を識別する情報と、エレベータ２１が配置されたプラットフォームに発着する電車３１１の路線を示す情報とが対応付けられた情報である。図３の例の場合、配置情報は、エレベータ２１Ａを示す情報と、路線Ａを示す情報とが対応付けられた情報である。
【００４９】
基本情報は、一例として、電車３１１の路線（例えば、路線Ａ）に含まれる各駅の情報、および、駅３から電車３１１に乗り、該路線の各駅にて電車３１１から降りた場合の料金に関する情報である。本実施形態では、鉄道情報データベース２０には、複数の路線（例えば、路線Ａ、路線Ｂ、路線Ｃ）それぞれの路線情報が記憶されている。該路線情報は、その路線に含まれる各駅を示す駅情報を含む。さらに、駅情報のそれぞれには、その駅から電車３１１に乗り、他の各駅にて電車３１１から降りた場合の料金を示す情報が対応付けられている。情報生成部１８は、配置情報に基づいて、路線Ａの駅情報と、駅３から電車３１１に乗り、他の各駅にて電車３１１から降りた場合の料金を示す情報とを、基本情報として取得する。
【００５０】
（制御装置が実行する処理の流れ）
図４は、制御装置１の制御部１２が実行する、提供情報を生成するための処理（提供情報生成処理）の流れの一例を示すフローチャートである。なお、ここでは、エレベータ２１Ａが備える制御装置１Ａが提供情報生成処理を実行する例を説明するが、エレベータ２１Ｂが備える制御装置１Ｂ、および、エレベータ２１Ｃが備える制御装置１Ｃについても同様の提供情報生成処理を実行する。また、図４に示す提供情報生成処理では、エレベータ２１がかご３５を移動させるたびに、制御盤３２が動作情報を制御装置１へ送信するものとする。換言すれば、動作情報取得部１４は、動作情報を随時取得し、情報生成部１８へ出力している。
【００５１】
制御部１２は、制御を開始する（Ｓ４００）と、カードリーダー２１３から、利用者情報を受信するまで待機する（Ｓ４０１）。利用者情報を受信した場合（Ｓ４０１でＹＥＳ）、利用者情報取得部１５は、利用者情報に基づいて、カードリーダー２１３に近接したＩＣカードが不正なＩＣカードであるか否かを判定する（Ｓ４０２）。例えば、利用者情報取得部１５は、利用者情報に、始点情報が含まれているか否かを判定する。換言すれば、利用者情報取得部１５は、カードリーダー２１３に近接したＩＣカードが改札３０１を通る際に使用されたＩＣカードであるか否かを判定する。不正なＩＣカードであると判定した場合（Ｓ４０２でＹＥＳ）、制御部１２は提供情報生成処理を終了する。具体的には、提供情報生成処理はステップＳ４０１へ戻る。
【００５２】
不正なＩＣカードでないと判定した場合（Ｓ４０２でＮＯ）、利用者情報取得部１５は、取得した利用者情報を情報生成部１８へ出力する。なお、ここでは、利用者情報には、始点情報（入場駅を示す情報）として、「Ｘ駅」を示す情報が含まれているものとする。情報生成部１８は、利用者情報から、「ＳＴ＝入場駅」、「ＲＭ＝残額」を特定する（Ｓ４０３）。次いで、情報生成部１８は、ＳＴが当駅（駅３）であるか否かを判定する（Ｓ４０４）。換言すれば、情報生成部１８は、入場駅が駅３と一致するか否かを判定する。
【００５３】
（ＳＴが当駅である場合）
図５は、利用者によるエレベータの利用形態の一例を示す図である。ＳＴが当駅であると判定した場合（Ｓ４０４でＹＥＳ）、すなわち、駅３がＸ駅である場合、情報生成部１８は、直近に取得した動作情報に基づき、かご３５の移動先がプラットフォーム階３１０であるか否かを判定する（Ｓ４１１）。かご３５の移動先がプラットフォーム階３１０であると判定した場合（Ｓ４１１でＹＥＳ）、利用者の利用形態が、図５に示す利用形態であると特定される。具体的には、利用者は、Ｘ駅、すなわち入場駅において、改札階３００からかご３５に乗り、プラットフォーム階３１０へ向かっていると特定される。換言すれば、情報生成部１８は、利用者が、Ｘ駅から電車３１１に乗ると特定する。この場合、情報生成部１８は、記憶部１３から配置情報を読み出し、表示器２１１における表示内容がＡであることを示す、「表示内容指定＝Ａ」とともに配置情報を基本情報取得部１６へ出力する。「表示内容指定＝Ａ」とは、例えば、利用者が、入場駅から電車３１１に乗ることを示す情報である。
【００５４】
基本情報取得部１６は、配置情報に基づき、鉄道情報データベース２０より路線Ａの全駅について、［駅名、ＳＴからの料金］のリスト（以降、「ＳＴ−ＬＩＳＴ［］」と称する）を、基本情報として取得する（Ｓ４１３）。基本情報取得部１６は、取得した基本情報を情報生成部１８へ出力する。そして、情報生成部１８は、ＳＴ、ＲＭ、ＳＴ−ＬＩＳＴ［］、および、表示内容指定＝Ａを対応付けることにより提供情報を生成し、情報提供部１７へ出力する。情報提供部１７は、取得した提供情報を表示器コントローラ２１２へ送信する（Ｓ４１４）。
【００５５】
（ＳＴが当駅でない場合）
図６は、利用者によるエレベータの利用形態の一例を示す図である。ＳＴが当駅でないと判定した場合（Ｓ４０４でＮＯ）、すなわち、駅３がＸ駅でない場合、情報生成部１８は、直近に取得した動作情報に基づき、かご３５の移動先が改札階３００であるか否かを判定する（Ｓ４０５）。かご３５の移動先が改札階３００であると判定した場合（Ｓ４０５でＹＥＳ）、利用者の利用形態が、図６に示す利用形態であると特定される。具体的には、利用者が、入場駅とは別の駅（図６の例ではＤ駅）から出るために改札階３００へ向かっていると特定される。換言すれば、情報生成部１８は、Ｘ駅から電車３１１に乗った利用者が、Ｄ駅にて電車３１１から降り、Ｄ駅から出ると特定する。この場合、情報生成部１８は、記憶部１３から配置情報を読み出し、表示器２１１における表示内容がＢであることを示す、「表示内容指定＝Ｂ」とともに配置情報を基本情報取得部１６へ出力する。「表示内容指定＝Ｂ」とは、例えば、利用者が、電車３１１から降り、改札を通る（すなわち、駅から出る）ことを示す情報である。
【００５６】
基本情報取得部１６は、配置情報に基づき、鉄道情報データベース２０より、ＳＴから当駅までの料金（「料金＝Ｆ」とする）の情報を、基本情報として取得する（Ｓ４０６）。図６の例の場合、Ｘ駅からＤ駅までの料金の情報を取得する。基本情報取得部１６は、取得した基本情報を情報生成部１８へ出力する。そして、情報生成部１８は、ＳＴ、Ｆ、ＲＭ、および、表示内容指定＝Ｂを対応付けることにより提供情報を生成し、情報提供部１７へ出力する。情報提供部１７は、取得した提供情報を表示器コントローラ２１２へ送信する（Ｓ４０７）。
【００５７】
図７は、利用者によるエレベータの利用形態の一例を示す図である。ステップＳ４０５において、かご３５の移動先が改札階３００でないと判定した場合（Ｓ４０５でＮＯ）、情報生成部１８はさらに、かご３５の移動先がプラットフォーム階３１０であるか否かを判定する（Ｓ４０８）。かご３５の移動先がプラットフォーム階３１０であると判定した場合（Ｓ４０８でＹＥＳ）、利用者の利用形態が、図７に示す利用形態であると特定される。具体的には、利用者が、入場駅とは別の駅（図６の例ではＡ駅）にて、電車を乗り換えるためにプラットフォーム階３１０へ向かっていると特定される。換言すれば、情報生成部１８は、Ｘ駅から電車３１１に乗った利用者が、Ａ駅にて電車３１１から降り、Ａ駅にて別の電車３１１に乗り換えると特定する。この場合、情報生成部１８は、記憶部１３から配置情報を読み出し、表示器２１１における表示内容がＣであることを示す、「表示内容指定＝Ｃ」とともに配置情報を基本情報取得部１６へ出力する。「表示内容指定＝Ｃ」とは、例えば、利用者が、電車３１１から降り、別の電車３１１に乗り換えることを示す情報である。
【００５８】
基本情報取得部１６は、配置情報に基づき、鉄道情報データベース２０より、ＳＴから当駅までの料金（料金＝Ｆ）と、路線Ａ全駅についてのＳＴ−ＬＩＳＴとを、基本情報として取得する（Ｓ４０９）。基本情報取得部１６は、取得した基本情報を情報生成部１８へ出力する。そして、情報生成部１８は、ＳＴ、Ｆ、ＲＭ、ＳＴ−ＬＩＳＴ［］、および、表示内容指定＝Ｃを対応付けることにより提供情報を生成し、情報提供部１７へ出力する。情報提供部１７は、取得した提供情報を表示器コントローラ２１２へ送信する（Ｓ４１０）。
【００５９】
ステップＳ４１１において、かご３５の移動先がプラットフォーム階３１０でないと判定した場合（Ｓ４１１でＮＯ）、または、ステップＳ４０８において、かご３５の移動先がプラットフォーム階３１０でないと判定した場合（Ｓ４０８でＮＯ）、利用者の利用形態が、図５〜図７に示す利用形態のいずれでもないと特定される。この場合、情報生成部１８は、ＲＭ、および、表示内容指定＝Ｄを対応付けることにより提供情報を生成し、情報提供部１７へ出力する。情報提供部１７は、取得した提供情報を表示器コントローラ２１２へ送信する（Ｓ４１２）。表示内容指定＝Ｄとは、表示器２１１における表示内容がＤであることを示す。例えば、表示内容指定が、上述したＡ〜Ｃの何れとも異なることを示す情報である。
【００６０】
なお、ステップＳ４１１でＮＯの場合とは、例えば、以下の場合である。すなわち、入場駅（Ｘ駅）で、利用者が利用したい路線とは異なる路線のプラットフォーム階３１０に降りた後、間違いに気づき、改札階３００に戻るエレベータ２１に乗り、該エレベータ２１内でカードリーダー２１３にＩＣカードを近接させた場合である。
【００６１】
また。ステップＳ４０８でＮＯの場合、すなわち、かご３５の移動先が改札階３００でもプラットフォーム階３１０でもない場合とは、例えば、以下の場合である。すなわち、かご３５の移動先が改札階３００およびプラットフォーム階３１０とは別の階（図３などでは不図示）である場合である。
【００６２】
（表示器コントローラが実行する処理の流れ）
図８は、表示器コントローラ２１２が実行する、提供情報を表示器２１１に表示するための処理（表示処理）の流れの一例を示すフローチャートである。なお、ここでは、エレベータ２１Ａが備える表示器コントローラ２１２Ａが表示処理を実行する例を説明するが、エレベータ２１Ｂが備える表示器コントローラ２１２Ｂ、および、エレベータ２１Ｃが備える表示器コントローラ２１２Ｃについても同様の提供情報生成処理を実行する。
【００６３】
表示器コントローラ２１２は、制御を開始する（Ｓ８００）と、表示器コントローラ２１２は、制御装置１から提供情報を受信するまで待機する（Ｓ８０１）。提供情報を受信した場合（Ｓ８０１でＹＥＳ）、表示器コントローラ２１２は、提供情報に含まれるＲＭが示す、ＩＣカードの残金を表示器２１１に表示させる（Ｓ８０２）。次に、表示器コントローラ２１２は、受信した提供情報に含まれる表示内容指定がＡ〜Ｄの何れであるかを特定する（Ｓ８０３、Ｓ８０５、Ｓ８０７）。
【００６４】
（表示内容指定＝Ａの場合）
表示内容指定がＡである場合（Ｓ８０３でＹＥＳ）、すなわち、エレベータ２１の利用者が入場駅から電車３１１に乗る場合、表示器コントローラ２１２は、以下の表示を表示器２１１に行わせる（Ｓ８０４）。
【００６５】
すなわち、表示器コントローラ２１２は、提供情報に含まれるＳＴに基づいて、当駅の駅名を表示器２１１に表示させる。また、表示器コントローラ２１２は、提供情報に含まれるＳＴ−ＬＩＳＴ［］に基づいて、路線Ａの名称、路線Ａの当駅以外の駅名、および、当駅から電車３１１に乗り、各駅で電車３１１から降りた場合の料金を表示器２１１に表示させる。また、表示器コントローラ２１２は、ＲＭおよびＳＴ−ＬＩＳＴ［］に基づいて、該料金がＩＣカードの残金以下の駅については色づけして、表示器２１１に表示させる。
【００６６】
図９は、表示器２１１における表示の一例を示す図面である。表示器２１１は、ステップＳ８０２およびＳ８０４において、例えば、図９の（ａ）に示す表示を行う。すなわち、表示器２１１は、路線Ａの名称９１（図示の例ではＡＢＣ線）、ＩＣカードの残金９２、当駅（Ｘ駅）の駅名９００、Ｘ駅から上り方向の駅名および料金９１０〜９１３、および、Ｘ駅から下り方向の駅名および料金９２０〜９２３を表示する。また、ＩＣカードの残金が２８０円であるため、表示器２１１は、料金（Ｘ駅からの料金）が２８０円以下である駅の駅名および料金９１０、９１１、９１２、９２０、９２１、９２２を、色づけして表示する。つまり、情報生成部１８が生成した提供情報は、入場駅、すなわち当駅から、残高情報が示す金額により到達可能な範囲を示す情報である、と表現することができる。
【００６７】
入場駅（Ｘ駅）に設置されたエレベータ２１Ａの利用者は、図５に示すようにエレベータ２１Ａのかご３５に乗っている間に、かご３５内に設置されたカードリーダー２１３にＩＣカードを近接させる。これにより、利用者は、カードリーダー２１３とともにかご３５内に配置された表示器２１１に、例えば、図９の（ａ）に示す表示を行わせることができる。
【００６８】
この表示を視認することにより、利用者は、入場駅から目的地の駅まで行く場合において、電車３１１に乗る前に、ＩＣカードで支払い可能な金額で目的地の駅まで行くことができるか否かを容易に判別することができる。なお、当駅からの料金がＩＣカードの残金以下の「駅名および料金」の表示態様は、着色表示に限定されない。例えば、該表示態様は、点滅表示などであってもよい。
【００６９】
（表示内容指定＝Ｂの場合）
表示内容指定がＢである場合（Ｓ８０５でＹＥＳ）、すなわち、エレベータ２１の利用者が電車３１１から降り、改札を通って駅から出る場合、表示器コントローラ２１２は、以下の表示を表示器２１１に行わせる（Ｓ８０６）。
【００７０】
すなわち、表示器コントローラ２１２は、提供情報に含まれるＳＴに基づいて、乗車駅の駅名を表示器２１１に表示させる。また、表示器コントローラ２１２は、提供情報に含まれるＦに基づいて、乗車駅から当駅までの料金を表示器２１１に表示させる。
【００７１】
表示器２１１は、ステップＳ８０２およびＳ８０６において、例えば、図９の（ｂ）に示す表示を行う。すなわち、表示器２１１は、ＩＣカードの残金９２、乗車駅の駅名９４、および、当駅の駅名および料金９５を表示する。つまり、情報生成部１８が生成した提供情報は、入場駅から当駅までの料金を示す情報である、と表現することができる。
【００７２】
電車３１１を降りた降車駅（Ｄ駅）に設置されたエレベータ２１Ａの利用者は、図６に示すようにエレベータ２１Ａのかご３５に乗っている間に、かご３５内に設置されたカードリーダー２１３にＩＣカードを近接させる。これにより、利用者は、カードリーダー２１３とともにかご３５内に配置された表示器２１１に、例えば、図９の（ｂ）に示す表示を行わせることができる。
【００７３】
この表示を視認することにより、利用者は、降車駅において改札３０１を通る前に、ＩＣカードで料金を支払い可能であるか否かを容易に判別することができる。
【００７４】
（表示内容指定＝Ｃの場合）
表示内容指定がＣである場合（Ｓ８０７でＹＥＳ）、すなわち、エレベータ２１の利用者が入場駅とは別の駅（乗換駅）で電車３１１に乗る場合、表示器コントローラ２１２は、以下の表示を表示器２１１に行わせる（Ｓ８０８）。
【００７５】
すなわち、表示器コントローラ２１２は、提供情報に含まれるＳＴおよびＦに基づいて、当駅の駅名、および、入場駅から当駅までの料金を表示器２１１に表示させる。また、表示器コントローラ２１２は、提供情報に含まれるＳＴ−ＬＩＳＴ［］に基づいて、路線Ａの名称、路線Ａの当駅以外の駅名、および、入場駅から電車３１１に乗り、入場駅および当駅以外の各駅で電車３１１から降りた場合の料金を表示器２１１に表示させる。また、表示器コントローラ２１２は、ＲＭおよびＳＴ−ＬＩＳＴ［］に基づいて、該料金がＩＣカードの残金以下の駅については色づけして、表示器２１１に表示させる。
【００７６】
表示器２１１は、ステップＳ８０２およびＳ８０８において、例えば、図９の（ｃ）に示す表示を行う。すなわち、表示器２１１は、路線Ａ、すなわち乗換後の路線の名称９１’（図示の例ではＤＥＦ線）、ＩＣカードの残金９２、当駅（Ａ駅）の駅名および料金９３０、Ａ駅から上り方向の駅名および料金９４０〜９４２、および、Ａ駅から下り方向の駅名および料金９５０〜９５２を表示する。また、ＩＣカードの残金が２８０円であるため、表示器２１１は、料金（Ｘ駅からの料金）が２８０円以下である駅の駅名および料金９４０、９４１、９４２、９５０、９５１、９５２を、色づけして表示する。つまり、情報生成部１８が生成した提供情報は、入場駅（第１発着所）から当駅（第２発着所）まで利用者が乗った路線（第１路線）の電車と、基本情報が示す路線（第２路線）の電車と、を利用して、残高情報が示す金額により到達可能な範囲を示す情報である、と表現することができる。
【００７７】
乗換駅（Ａ駅）に設置されたエレベータ２１Ａの利用者は、図７に示すようにエレベータ２１Ａのかご３５に乗っている間に、かご３５内に設置されたカードリーダー２１３にＩＣカードを近接させる。これにより、利用者は、カードリーダー２１３とともにかご３５内に配置された表示器２１１に、例えば、図９の（ｃ）に示す表示を行わせることができる。
【００７８】
この表示を視認することにより、利用者は、入場駅から目的地の駅まで行く場合において、電車３１１に乗り換える前に、ＩＣカードで支払い可能な金額で目的地の駅まで行くことができるか否かを容易に判別することができる。なお、当駅からの料金がＩＣカードの残金以下の「駅名および料金」の表示態様は、着色表示に限定されない。例えば、該表示態様は、点滅表示などであってもよい。
【００７９】
（表示内容指定＝Ｄの場合）
表示内容指定がＤである場合（Ｓ８０３、Ｓ８０５、Ｓ８０７でＮＯ）、表示器コントローラ２１２は、図９の（ｄ）に示すように、ＩＣカードの残金９２のみを表示器２１１に表示させる。
【００８０】
表示器コントローラ２１２は、表示器２１１に提供情報に基づく表示を行わせると、例えばタイマ（不図示）を用いて、表示後Ｔ秒経過したか否か判断する（Ｓ８０９）。一例として、Ｔ＝４であってもよい。表示後Ｔ秒経過していない場合（Ｓ８０９でＮＯ）、表示器コントローラ２１２は、Ｔ秒経過するまで表示器２１１に表示を継続させる。表示後Ｔ秒経過した場合（Ｓ８０９でＹＥＳ）、表示器２１１に表示を終了させる。そして、表示処理はＳ８０１に戻る。
【００８１】
以上のように、エレベータ２１の利用者は、エレベータ２１を利用しながら、ＩＣカードの残金と、電車３１１による移動にかかる料金（運賃）とを確認することができる。つまり、利用者は、降車駅にて改札を通る前に、ＩＣカードの残金が不足しているか否かを確認することができる。よって、制御装置１は、利用者が改札から出場しようとしたときに、チャージ金額の不足により出場できず、ＩＣカードのチャージのために改札から清算機に移動する、といった煩わしい対応を、利用者に行わせてしまうことを防止できる。また、制御装置１は、チャージ金額の不足により改札から出場できない利用者を減少させることができ、改札からの出場において、人の流れが止まってしまうことを防止できる。
【００８２】
〔変形例１〕
本発明の変形例について、以下に説明する。なお、説明の便宜上、上記実施形態にて説明した部材と同じ機能を有する部材については、同じ符号を付記し、その説明を繰り返さない。
【００８３】
エレベータ２１が備える表示器は、利用者の入力（タッチ操作）を受け付けるタッチパネル（入力装置）を備える表示器２１１’であってもよい。これに伴い、エレベータ２１が備える制御装置１は、利用者が行った入力に基づく入力情報を取得する入力情報取得部（不図示）を備えていてもよい。
【００８４】
図１０は、表示器２１１’における表示の一例を示す画面例である。図１０に示す画面は、利用者がＩＣカードをカードリーダー２１３に近接させたことに基づき表示された画面である。
【００８５】
ここで、本変形例の前提を、路線Ａを例に挙げて説明する。路線Ａの電車３１１には、路線Ａの各駅に停車する普通電車、普通電車より停車する駅数が少ない快速電車、快速電車よりさらに停車する駅数が少ない新快速電車という３つの種類があるものとする。利用者は、入場駅、あるいは、乗換駅の改札階３００にてエレベータ２１Ａに乗り、プラットフォーム階３１０へ向かっている途中で、かご３５内に設けられたカードリーダー２１３にＩＣカードを近接させたとする。つまり、本変形例は、表示内容指定がＡ、あるいはＣの場合の例である。なお、ここでは、表示内容指定がＡの場合を説明する。
【００８６】
情報生成部１８は、取得した利用者情報、動作情報、および基本情報に基づき、第１提供情報を生成する。第１提供情報は、ＲＭ、および、路線Ａの電車３１１の種類（普通電車、快速電車、新快速電車）の情報を含む。情報提供部１７は、第１提供情報を表示器コントローラ２１２へ送信する。これにより、表示器コントローラ２１２は、図１０に示す画面を表示器２１１’に表示させる。
【００８７】
利用者は、図１０に示す画面を視認した後、ＵＩ１０１、１０２、１０３のうち、自身が乗る予定の電車３１１の種類に対応するＵＩをタッチする。例えば、利用者が、ＵＩ１０２をタッチしたとする。これにより、ＵＩ１０２がタッチされたことを示す入力情報が、表示器コントローラ２１２を介して制御装置１へ送信される。
【００８８】
制御装置１の入力情報取得部は、受信した入力情報を情報生成部１８へ出力する。情報生成部１８は、取得した利用者情報、動作情報、基本情報、および入力情報に基づき、第２提供情報を生成する。情報生成部１８は、第２提供情報の生成の際、ＳＴ−ＬＩＳＴ［］に含まれる駅名および入場駅からの料金の組み合わせのうち、快速電車が停車しない駅名を含む組合せを、ＳＴ−ＬＩＳＴ［］から削除する削除処理を行う。そして、情報生成部１８は、該削除処理後のＳＴ−ＬＩＳＴ［］、ＳＴ、ＲＭ、および、表示内容指定＝Ａを含む第２提供情報を生成する。情報提供部１７は、該第２提供情報を表示器コントローラ２１２へ送信する。
【００８９】
これにより、表示器コントローラ２１２は、第２提供情報に基づく表示を、表示器２１１に行わせることができる。例えば、表示器２１１は、図９の（ａ）の駅名および料金９１０〜９１３、並びに、駅名および料金９２０〜９２３のうち、快速電車が停車する駅の駅名を含むもののみを表示する。これにより、利用者にとって必要な情報のみを提供することができる。
【００９０】
表示器コントローラ２１２は、表示器２１１’に提供情報に基づく画面の一部のみを表示させる構成であってもよい。この構成において、表示器コントローラ２１２は、表示器２１１’のタッチパネルに対する利用者の入力操作に基づく入力情報に応じて、表示器２１１’に表示させる画面の一部を変更する構成であってもよい。換言すれば、表示器コントローラ２１２は、表示器２１１’に表示させる画面を、利用者の入力操作に基づいてスクロールさせる機能を備えていてもよい。この機能は、利用者が利用しようとしている路線が長距離にわたる、あるいは、該路線に含まれる駅数が多いなどの場合に有用である。路線に含まれる駅数が多い場合、表示器がタッチパネルを備えていないと、全ての情報を表示器の表示領域に表示させることとなる。この場合、１つ１つの情報（文字サイズ）が小さく表示され、利用者は視認しづらい。これに対し、タッチパネルを備える表示器２１１’であれば、表示する情報について、利用者が視認しやすい大きさを維持できる。さらに、スクロール機能を使用させることで、全ての情報を利用者に確認させることができる。
【００９１】
〔変形例２〕
制御装置１は、表示内容指定がＡ、あるいはＣの場合、提供情報に、利用者が利用する路線（例えば、路線Ａ）の電車３１１について、利用者がいる駅（例えば、駅３）からの出発時刻を含めてもよい。この例において、鉄道情報データベース２０に格納されている駅情報のそれぞれには、例えば、各駅情報が示す駅からの電車３１１の出発時刻を示す情報（すなわち、時刻表）が対応付けられている。基本情報取得部１６は、ＳＴ−ＬＩＳＴ［］とともに、利用者がいる駅における時刻表を鉄道情報データベース２０から読み出し、情報生成部１８へ出力する。情報生成部１８は、一例として、時刻表と現在時刻とを参照し、現在時刻より後であって、現在時刻との差が最も小さい、電車３１１の出発時刻を特定する。換言すれば、情報生成部１８は先発電車の出発時刻を特定する。そして、情報生成部１８は、提供情報に該出発時刻を含める。
【００９２】
また、一例として、情報生成部１８は、先発電車の次に出発する電車（次発電車）の出発時刻も、提供情報に含めてもよい。これにより、残金不足の場合、「時間に余裕があるので、入場前にＩＣカードにチャージする」あるいは「時間に余裕がないので、そのまま入場し降車駅の精算機でＩＣカードにチャージする」等の判断を利用者が事前に行うことができる。
【００９３】
情報生成部１８は、さらに、提供情報に、利用者が利用する路線の電車について、遅延情報などの運行情報を含めてもよい。該運行情報は、鉄道情報データベース２０に随時格納される構成であればよい。
【００９４】
〔変形例３〕
駅３において、エレベータ２１が設置されているプラットフォームを使用する路線（例えば、路線Ａ）が１つに定まる場合、制御装置１は、基本情報を外部の鉄道情報データベース２０から取得する構成に代えて、基本情報を記憶部１３（基本情報記憶部）に記憶する構成であってもよい。具体的には、本変形例に係る記憶部１３には、基本情報として、駅３の駅名、駅３から電車３１１に乗り、他の各駅にて電車３１１から降りた場合の料金を示す情報が少なくとも記憶されている。ここで、「他の各駅」とは、エレベータ２１が設置されているプラットフォームを使用する路線の、駅３以外の全ての駅である。また、記憶部１３に記憶されている基本情報は、さらに、駅３から出発する電車の時刻表を含んでいてもよい。なお、この変形例の場合、基本情報自体が、駅３におけるエレベータ２１の配置に応じた情報であると表現することができる。このため、記憶部１３は配置情報を記憶していなくてもよい。
【００９５】
〔変形例４〕
本発明に係るエレベータは、駅３において、改札階３００とプラットフォーム階３１０とを利用者が移動するためのエレベータ、すなわち、改札内のエレベータに限定されない。つまり、本発明に係るエレベータは、改札外のエレベータ、例えば、地上と改札階とを利用者が移動するためのエレベータであってもよい。この例の場合、駅３は、１つの路線の駅である。換言すれば、利用者が改札外のエレベータに乗っている時点で、該利用者が利用する路線が１つに定まる駅である。
【００９６】
一例として、本変形例に係る制御装置１の情報生成部１８は、利用者情報を取得したとき、エレベータのかごの移動先が改札階であることを示す動作情報を直近に取得している場合、ＳＴ、ＲＭ、ＳＴ−ＬＩＳＴ［］、および、表示内容指定＝Ａを対応付けることにより提供情報を生成し、情報提供部１７へ出力する。つまり、表示器コントローラ２１２は、表示器２１１に、図９の（ａ）に示す表示を行わせる。
【００９７】
一方、利用者情報を取得したとき、エレベータのかごの移動先が改札階でないことを示す動作情報を直近に取得している場合、情報生成部１８は、ＲＭ、および、表示内容指定＝Ｄを対応付けることにより提供情報を生成し、情報提供部１７へ出力する。つまり、表示器コントローラ２１２は、表示器２１１に、図９の（ｄ）に示す表示を行わせる。
【００９８】
〔変形例５〕
本発明に係るエレベータは、一例として、公共交通機関の発着所に設置されたエレベータであればよく、駅のプラットフォームに設置されたエレベータに限定されない。本発明に係るエレベータは、例えば、バスの発着所（バスターミナル）に設置されていてもよい。
【００９９】
この例の場合、ＳＴ−ＬＩＳＴ［］は、ユーザが利用する路線における全停留所についての［停留所名、ＳＴからの料金］のリストとなる。
【０１００】
一例として、本変形例に係る制御装置１の情報生成部１８は、利用者情報を取得したとき、エレベータのかごの移動先がバスターミナルの階であることを示す動作情報を直近に取得している場合、ＳＴ、ＲＭ、ＳＴ−ＬＩＳＴ［］、および、表示内容指定＝Ａを対応付けることにより提供情報を生成し、情報提供部１７へ出力する。これにより、表示器コントローラ２１２は、表示器２１１に、図９の（ａ）に類似した表示を行わせることができる。具体的には、図９の（ａ）の駅名が、バスの停留所名に置き換わった表示を行うことができる。
【０１０１】
一方、利用者情報を取得したとき、エレベータのかごの移動先がバスターミナルの階でないことを示す動作情報を直近に取得している場合、情報生成部１８は、ＲＭ、および、表示内容指定＝Ｄを対応付けることにより提供情報を生成し、情報提供部１７へ出力する。つまり、表示器コントローラ２１２は、表示器２１１に、図９の（ｄ）に示す表示を行わせる。
【０１０２】
また、本発明に係るエレベータは、公共交通機関の発着所に設置されたエレベータに限定されない。一例として、本発明に係るエレベータは、商業施設に設置されたエレベータであってもよい。
【０１０３】
この例の場合、利用者の保有する端末装置は、例えば、商業施設にある飲食店のポイントカードなどであってもよい。また、この例の場合、基本情報を格納する外部のデータベースは、該店舗が管理するデータベースであり、基本情報は、該飲食店のメニューであってもよい。なお、本変形例の前提として、該飲食店では、ポイントカードに対応付けられている（貯まっている）ポイントを、１ポイント＝１円で利用できるものとする。
【０１０４】
一例として、本変形例に係る制御装置１の利用者情報取得部１５は、利用者情報として、ポイントカードに対応付けられているポイントの値を取得する。情報生成部１８は、利用者情報取得部１５から該利用者情報を取得したとき、エレベータのかごの移動先が、上記飲食店のある階であることを示す動作情報を直近に取得している場合、一例として、ポイントの値と飲食店のメニューとを参照する。そして、情報生成部１８は、値段がポイントの値以下の飲食物を特定し、該特定した飲食物の情報を提供情報として、情報提供部１７へ出力する。これにより、表示器コントローラ２１２は、表示器２１１に、ポイントを消費するだけで注文できる飲食物についての表示を行うことができる。
【０１０５】
なお、エレベータ情報システム２は、任意のＩＣカードやポイントカードがカードリーダー２１３に近接したとき、ＩＣカードの残金、または、ポイントカードのポイント数を表示器２１１に表示する機能を備えていてもよい。
【０１０６】
〔変形例６〕
本発明に係る制御装置１、表示器２１１、表示器コントローラ２１２、およびカードリーダー２１３は、かご３５の外に設置されていてもよい。特に、表示器２１１およびカードリーダー２１３は、各階に設けられた乗降場ドアの近傍に設置されていてもよい。
【０１０７】
かご３５内に表示器２１１およびカードリーダー２１３が設置されている場合、一度に多くの利用者がかご３５に乗ると、カードリーダー２１３にＩＣカードを近づけられない、あるいは、表示器２１１の表示を視認することができない可能性がある。これに対して、表示器２１１およびカードリーダー２１３を乗降場ドアの近傍に設置しておけば、利用者は、かご３５の到着を待っている時間を利用して、カードリーダー２１３にＩＣカードを近づけ、表示器２１１の表示を視認することができる。つまり、かご３５に多くの利用者が乗ることが想定できる場合であっても、カードリーダー２１３にＩＣカードを近づけ、表示器２１１の表示を視認することができる。
【０１０８】
〔変形例７〕
利用者の端末装置がスマートフォンである場合、スマートフォンから制御装置への利用者情報の送信に、Ｂｌｕｅｔｏｏｔｈ（登録商標）を用いてもよい。この場合、エレベータ２１はカードリーダー２１３を備えない構成であってもよい。
【０１０９】
〔変形例８〕  本発明に係る制御装置１、表示器２１１、表示器コントローラ２１２は、利用者のスマートフォンとして実現されてもよい。
【０１１０】
本変形例に係るスマートフォン（以下、単に「スマートフォン」と記載）は、一例として、エレベータ２１のかご３５に利用者が乗ると、エレベータシステム２１４（制御盤３２）と無線通信を行うことにより、動作情報および配置情報を取得する。つまり、本変形例では、エレベータシステム２１４が配置情報を記憶している構成である。また、スマートフォンは、鉄道情報データベース２０と無線通信を行うことにより、取得した配置情報に基づく基本情報を取得する。
【０１１１】
そして、スマートフォンは、動作情報、基本情報、および、スマートフォンに記憶されている利用者情報を用いて、提供情報を生成し、表示部に提供情報に基づく画像を表示する。
【０１１２】
〔変形例９〕
制御装置１が生成した提供情報に基づく情報を出力する出力装置は、表示器２１１および表示器コントローラ２１２に限定されない。換言すれば、提供情報の出力態様は表示に限定されない。一例として、該出力装置は、スピーカおよび該スピーカを制御するコントローラであってもよい。すなわち、提供情報の出力態様は、例えば音声であってもよい。
【０１１３】
〔ソフトウェアによる実現例〕
制御装置１の制御ブロック（特に制御部１２）、および、表示器コントローラ２１２の制御ブロックは、集積回路（ＩＣチップ）等に形成された論理回路（ハードウェア）によって実現してもよいし、ソフトウェアによって実現してもよい。
【０１１４】
後者の場合、制御装置１および表示器コントローラ２１２は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１１６】
１、１Ａ〜１Ｃ  制御装置（情報提供装置）
３  駅（建物、発着所）
２１Ａ〜２１Ｃ  エレベータ
１３  記憶部（配置情報記憶部、基本情報記憶部）
１４  動作情報取得部
１５  利用者情報取得部
１６  基本情報取得部
１７  情報提供部
１８  情報生成部
２０  鉄道情報データベース（外部のデータベース）
３１０  プラットフォーム階（乗降場所）
３１１  電車（公共交通機関）
【図１】
2020052548.tif 000003
【図２】
2020052548.tif 000004
【図３】
2020052548.tif 000005
【図４】
2020052548.tif 000006
【図５】
2020052548.tif 000007
【図６】
2020052548.tif 000008
【図７】
2020052548.tif 000009
【図８】
2020052548.tif 000010
【図９】
2020052548.tif 000011
【図１０】
2020052548.tif 000012